(57)【要約】【課題】  人体や環境に悪影響を与えることなく、極めて容易に脂肪族アルデヒド類および低級脂肪酸類を中和することができる中和剤および中和方法を提供する。【解決手段】  重炭酸アンモニウムを主剤としてなる中和剤、この中和剤の粉末または水溶液を噴霧する脂肪族アルデヒド類および低級脂肪酸類の中和方法。【選択図】        なし【特許請求の範囲】
【請求項１】
重炭酸アンモニウムを主剤としてなることを特徴とする脂肪族アルデヒド類および低級脂肪酸類の中和剤。
【請求項２】
重炭酸アンモニウムを主剤とし界面活性剤を含有してなることを特徴とする脂肪族アルデヒド類および低級脂肪酸類の中和剤。
【請求項３】
重炭酸アンモニウムを主剤としてなる中和剤の粉末または水溶液を噴霧することを特徴とする脂肪族アルデヒド類および低級脂肪酸類の中和方法。
【請求項４】
重炭酸アンモニウムを主剤としてなる中和剤を壁面、布あるいは紙に塗布または浸漬することを特徴とする脂肪族アルデヒド類および低級脂肪酸類の中和方法。
【発明の詳細な説明】
【技術分野】
【０００１】
本発明は、人体に有害な脂肪族アルデヒド類や不快感を与える低級脂肪酸の悪臭を中和、無害化し、かつ、人体や環境にほとんど無害、無臭な中和剤および中和方法に関する。
【背景技術】
【０００２】
従来、脂肪族アルデヒド類や低級脂肪酸類の除去には、活性炭、アルミナまたはゼオライト等の吸着剤を塗布またはそれらを用いた濾過体を通して除去する方法が行われ、また、低級脂肪酸類に対しては、マスキング剤や種々の消臭剤が用いられてきた。
活性炭、アルミナ、ゼオライト等の吸着剤は、使用面が白くなったり黒くなったりすると共に、効果の持続も短く不適当である。また、低級脂肪酸類の悪臭は最も消し難い悪臭で、マスキング剤や消臭剤を用いても、その消臭は困難であった。
【発明の開示】
【発明が解決しようとする課題】
【０００３】
本発明は、脂肪族アルデヒド類および低級脂肪酸類の除去における従来手段の問題点を解消し、人体や環境に悪影響を与えることなく、極めて容易に脂肪族アルデヒド類および低級脂肪酸類を中和することができる中和剤および中和方法を提供することを目的とする。
【課題を解決するための手段】
【０００４】
本発明者は、上記の目的を達成するため鋭意検討を進めた結果、重炭酸アンモニウムが最も効果的で、かつ、人体や環境に悪影響を与えることなく脂肪族アルデヒド類、低級脂肪酸類の中和が容易になし得られることを見出し、本発明を完成するに至った。
【０００５】
すなわち、本発明は、重炭酸アンモニウムを主剤としてなることを特徴とする脂肪族アルデヒド類および低級脂肪酸類の中和剤であり、また、該中和剤において界面活性剤を含有してなることを特徴とするものである。さらに、本発明は、上記中和剤の粉末または水溶液を噴霧することを特徴とする脂肪族アルデヒド類および低級脂肪酸類の中和方法であり、また、上記中和剤を壁面、布あるいは紙に塗布または浸漬することを特徴とする脂肪族アルデヒド類および低級脂肪酸類の中和方法である。
【発明の効果】
【０００６】
本発明の中和剤による脂肪族アルデヒド類および低級脂肪酸の除去は、複雑な装置、手段を必要とすることなく、噴霧または塗布等の簡単な方法で行うことができ、また、人体、環境に対し殆ど影響しない安全なものである。
【発明を実施するための最良の形態】
【０００７】
本発明において用いる重炭酸アンモニウムは、ベイキングパウダーに使用されたり、また、去痰剤として服用されたりする殆ど無害なもので、匂いも殆ど無臭である。
重炭酸アンモニウムはホルムアルデヒドと反応してヘキサメチレンテトラミンを生成する。ヘキサメチレンテトラミンの毒性は、ＬＤ50ラット静注９２００ｍｇ／ｋｇ（有機化合物辞典）で、かなり安全なものである。
【０００８】
重炭酸アンモニウムとアセトアルデヒドとは、重炭酸アンモニウム３ｍｏｌとアセトアルデヒド３ｍｏｌとが反応して、アセトアルデヒドアンモニアクが生成固定化される。
さらに、重炭酸アンモニウムは不快な酸敗臭を発生する酪酸や吉草酸あるいは酢酸等と反応して、それぞれのアンモニウム塩を作り無臭化する。
【０００９】
重炭酸アンモニウムの気化速度について試験した結果を示すと、次のとおりである。
試験方法
３Ｌビーカー３個に重炭酸アンモニウム各０．１ｇづつを底に敷き密封し、各時間ごとにビーカー中の重炭酸アンモニウムの濃度を測定する。
試験結果
１時間後      ２時間後      ５時間後
１６ｐｐｍ    ３０ｐｐｍ    ４２ｐｐｍ
上記のように、重炭酸アンモニウムは気化性を有するので、粉末を散布しても有効であるが、重炭酸アンモニウムの気化速度が緩やかであるため、脂肪族アルデヒド類や低級脂肪酸の除去には時間を要する。重炭酸アンモニウムの水溶液を噴霧した場合は、反応が短時間に終了し、中には瞬間的に反応が終わり、反応時間の測定が不可能なものもある。
【００１０】
［実施例１］
Ａ  ３Ｌビーカーの底に重炭酸アンモニウム０．０２ｇを薄く敷く（真ん中を空ける）、真ん中に１ｃｍ角ろ紙に３７％ホルマリン液１μｌを含浸せしめたものを置く、これを３個作りラップにて密封する。
Ｂ  重炭酸アンモニウム０．１ｇを使用し、上記Ａと同様に作る。
Ｃ  比較例として、重炭酸アンモニウムを入れないものを作る。
上記Ａ〜Ｃについて、各ビーカー中のホルムアルデヒドの濃度を、各時間ごとに測定した結果を示すと表１のとおりである。
【００１１】
【表１】
2005058494.tif 000002
【００１２】
［実施例２］
Ａ  重炭酸アンモニウム０．１ｇを使用し、実施例１のホルマリン液の代わりに４５％アセトアルデヒド液を使用した他は、実施例１と同様に作る。
Ｃ  比較例として、重炭酸アンモニウムを入れないものを作る。
上記ＡおよびＣについて、各ビーカー中のアセトアルデヒドの濃度を、各時間ごとに測定した結果を示すと表２のとおりである。
【００１３】
【表２】
2005058494.tif 000003
【００１４】
［実施例３］
Ａ  実施例２のアセトアルデヒド液の代わりに９９％酢酸を用いた他は、実施例２と同様に作る。
Ｃ  比較例として、重炭酸アンモニウムを入れないものを作る。
上記ＡおよびＣについて、各ビーカー中の酢酸の濃度を、各時間ごとに測定した結果を示すと表３のとおりである。
【００１５】
【表３】
2005058494.tif 000004
【００１６】
［実施例４］
Ａ  実施例３の酢酸の代わりに４５％酪酸を用いた他は、実施例３と同様に作る。
Ｃ  比較例として、重炭酸アンモニウムを入れないものを作る。
上記ＡおよびＣについて、各ビーカー中の酪酸の濃度を、各時間ごとに測定した結果を示すと表４のとおりである。
【００１７】
【表４】
2005058494.tif 000005
【００１８】
［実施例５］
２０Ｌガラス瓶中に３７％ホルムアルデヒド液２μｌを滴下した後、密栓して一夜放置、翌日ガラス瓶中のホルムアルデヒド濃度を測定したところ、その濃度は１８ｐｐｍであった。この瓶中に０  ５％重炭酸アンモニウム液１ｍｌを噴霧し、１時間後、瓶中のホルムアルデヒド濃度を測定したところ、その濃度は０ｐｐｍであった。
【００１９】
［実施例６］
３７％ホルムアルデヒド液の代わりに４５％アルデヒド液を用い、実施例５と同様の方法で行ったところ、初期値１５ｐｐｍであったアセトアルデヒドは、１時間後は検出されなかった。
【００２０】
［実施例７］
２０Ｌガラス瓶中に氷酢酸２μｌを滴下した後、密栓して一夜放置し、ガラス瓶中の酢酸濃度を測定したところ、その濃度は２２ｐｐｍであった。これに０．５％重炭酸アンモニウム液１ｍｌを噴霧し、１時間後の酢酸濃度を測定したところ、酢酸は検出されなかった。また、酢酸臭もなかった。
【００２１】
［実施例８］
実施例７の氷酢酸の代わりに４５％酪酸を用い、実施例７と同様の方法で行ったところ、初期値１２ｐｐｍであった酪酸濃度は、噴霧後は検出されず、また、臭いも殆ど感じられなかった。
【００２２】
［実施例９］
実施例８の酪酸の代わりにイソ吉草酸（９９％）を用い、実施例７と同様の方法で行ったところ、初期値２０ｐｐｍであったイソ吉草酸の濃度は、噴霧後は検出されず、また、臭いも全くなかった。
【００２３】
［実施例１０］
貸しオシボリの中にはたまたま極めて汗臭いものがあるが、これを重炭酸アンモニウム１％および浸透剤としてポリオキシエチレン（ＥＯ４０）硬化ひまし油０．１％を含んだ液に３分間浸漬して取り出したところ、汗臭は殆ど消失していた。重炭酸アンモニウムを含まないポリオキシエチレン（ＥＯ４０）硬化ひまし油０．１％のみの液では、汗臭は殆ど変わらなかった。
【００２４】
［実施例１１］
夏期、自動車のクーラーは乗車人の汗を熱め低級脂肪酸臭である異臭を発するが、重炭酸アンモニウム２％および展着剤としてポリオキシエチレン（８０）硬化ひまし油０．１％を含んだ液３ｍｌを、稼働しているクーラーの吸い込み口に噴霧したところ、異臭は消失した。ポリオキシエチレン（８０）硬化ひまし油０．１％のみの液を同様に３ｍｌ噴霧したが、全く効果はなかった。
【００２５】
［実施例１２］
冬期、多湿地方では寝具または梅雨時生乾きの洗濯物が低級脂肪酸臭である異臭を発することがあるが、この寝具を収納する押入れの床に１０ｇの重炭酸アンモニウムを散布し、その上に新聞紙を敷き、その上に４枚の前記異臭を発する寝具を収納し、１２時間後に取り出したところ、異臭は完全に消失していた。重炭酸アンモニウムを使用しなかった押入れに収納した寝具の異臭は変化がなかった。また、異臭を発する洗濯物も上記と同様に行ったところ、上記と全く同様の結果となった。
【００２６】
［実施例１３］
夏期、浴室において低級脂肪酸臭である汗臭が発生することがあるが、特に木造の浴室において強烈に臭うことがある。この臭気は水で洗浄しても取り去ることは困難であるが、重炭酸アンモニウム３％液を浴室の内面ｍ2 当たり３ｍｌ噴霧したところ、完全に異臭が消失した。木造の浴室の場合、湿っているときは、重炭酸アンモニウムの粉末を浴室の内容積１ｍ3 当たり０．２ｇを噴霧することにより、瞬時に異臭は消失した。木造浴室の場合は、水溶液の噴霧より粉末の噴霧の方が浴室の保持のために望ましい。
【手続補正書】
【提出日】平成15年9月5日(2003.9.5)
【手続補正１】
【補正対象書類名】明細書
【補正対象項目名】００１８
【補正方法】変更
【補正の内容】
【００１８】
［実施例５］
２０Ｌガラス瓶中に３７％ホルムアルデヒド液２μｌを滴下した後、密栓して一夜放置、翌日ガラス瓶中のホルムアルデヒド濃度を測定したところ、その濃度は１８ｐｐｍであった。この瓶中に０．５％重炭酸アンモニウム液１ｍｌを噴霧し、１時間後、瓶中のホルムアルデヒド濃度を測定したところ、その濃度は０ｐｐｍであった。
【手続補正２】
【補正対象書類名】明細書
【補正対象項目名】００２４
【補正方法】変更
【補正の内容】
【００２４】
［実施例１１］
夏期、自動車のクーラーは乗車人の汗を集め低級脂肪酸臭である異臭を発するが、重炭酸アンモニウム２％および展着剤としてポリオキシエチレン（８０）硬化ひまし油０．１％を含んだ液３ｍｌを、稼働しているクーラーの吸い込み口に噴霧したところ、異臭は消失した。ポリオキシエチレン（８０）硬化ひまし油０．１％のみの液を同様に３ｍｌ噴霧したが、全く効果はなかった。